(57)【要約】【課題】短時間で、しかも未経験者でも容易に飾り付けることができるディスプレイ構築部材を提供する。【解決手段】ディスプレイ構築部材は、薄い横長の容器と、前記容器を嵌入する凹所を側端縁に複数設けた保持板とからなる。薄い横長の容器とすることによって、水を入れ、収容物を差し入れた状態で運搬することが可能となる。容器の内部には、収容物の倒れを防止するために適宜仕切を設けることが好ましい。前記凹所は、嵌入した容器の開口部を３０度〜９０度の範囲で傾斜させることができるように略扇形状に形成されており、底面の幅が広く開口部が窄まっている。凹所をこのように略扇形状に形成することによって、嵌入した容器を任意の方向に傾斜させることができる。前記凹所は、保持板を長方形状に形成し直線状の側端縁に設けてもよく、また、保持板を略扇形状に形成し湾曲した側端縁に設けてもよい。【選択図】　　　　図１
2004105523.tif 000002
【特許請求の範囲】
【請求項１】
薄い横長の容器と、前記容器を嵌入する凹所を側端縁に複数設けた保持板とからなり、前記凹所は、底面の幅が広く開口部が窄まっていることを特徴とするディスプレイ構築部材。
【請求項２】
容器の大きさは、長さ寸法３００〜１２００ｍｍ、厚さ寸法１０〜３０ｍｍ、深さ寸法１００〜２５０ｍｍであることを特徴とする請求項１に記載のディスプレイ構築部材。
【請求項３】
容器の内部に適宜の仕切を設けたことを特徴とする請求項１または２に記載のディスプレイ構築部材。
【請求項４】
保持板は、長方形状に形成されており、凹所は、直線状の側端縁に設けたことを特徴とする請求項１〜３のいずれか１項に記載のディスプレイ構築部材。
【請求項５】
保持板は、略扇形状に形成されており、凹所は、湾曲した側端縁に設けたことを特徴とする請求項１〜３のいずれか１項に記載のディスプレイ構築部材。
【請求項６】
保持板は、長方形状に形成されており、凹所は、直線状の側端縁に設け、嵌入した容器の開口部を３０度〜９０度の範囲で傾斜させることができるようにしたことを特徴とする請求項１〜３のいずれか１項に記載のディスプレイ構築部材。
【請求項７】
保持板は、略扇形状に形成されており、湾曲した側端縁に設け、前記凹所は、嵌入した容器の開口部を３０度〜９０度の範囲で傾斜させることができるようにしたことを特徴とする請求項１〜３のいずれか１項に記載のディスプレイ構築部材。
【発明の詳細な説明】
【０００１】
【発明の属する技術分野】
この発明は、ディスプレイ構築部材に関するものであり、より詳しくいえば、展示会、講演会、結婚式、葬儀用祭壇等の各種イベント会場でのディスプレイのように、大量の花を飾り付けるのに好適なディスプレイ構築部材に関する。
【０００２】
【従来の技術】
従来、例えば、葬儀用の祭壇は、階段状に次第に高くなるように構築され、大量の花及び造花によって飾り付けられる。一般に、祭壇の飾り付けは、蝦夷松、スプルス等の木材で階段状に祭壇を構築し、この祭壇に発泡プラスチック、または吸水性スポンジを入れた水槽を載置し、前記発泡プラスチック、または吸水性スポンジに花を差して飾り付けるのである。この祭壇の飾り付けには、大量の花が用いられ大規模な飾り付けとなるために、大変な労力と時間を要していた。
【０００３】
【発明が解決しようとする課題】
これらの祭壇の構築には多数の構築部材を必要とするばかりでなく、労力を必要とする。また、花を飾り付けるには、当然、水がなければならず、水を入れたプランターを運搬するのは作業性が悪いばかりでなく、重労働でもあった。また、広い空間に立体的に飾り付けたり、複雑な表現で飾り付けるには、経験とある程度の知識を必要とした。
【０００４】
また、会場で大量の花を飾り付け、しかも限られた空間で作業するために作業がし難いと共に、長時間を要した。会場で飾り付けるために、切り落とした茎、葉等のくずの処理をしなければならず、飾り付けに要する労力と時間ばかりでなく、後かたづけにも手間がかかった。また、余った花は持ち帰らなければならなかった。さらに使用後に発泡プラスチック又は吸水性スポンジは再利用することが困難なため、廃棄処分に要する労力と費用がかかっていた。
【０００５】
この発明は、上記の現況に鑑みてなされたもので、その目的とするところは、上記問題を解決し、会場でディスプレイを飾り付ける労力と時間を軽減することができるディスプレイ構築部材を提供するものである。
【０００６】
【課題を解決するための手段】
この発明は上記目的を達成するために次のような構成とした。即ち、この発明に係るディスプレイ構築部材は、薄い横長の容器と、前記容器を嵌入する凹所を側端縁に複数設けた保持板とからなる。薄いブックケース状容器とすることによって、水を入れ、花を差し入れた状態で運搬することが可能となる。前記凹所は略扇形状に形成されており、底面の幅が広く開口部が窄まっている。凹所をこのように略扇形状に形成することによって、嵌入した容器を任意の方向に傾斜させることができる。容器の大きさは、材質、用途等によって決定することができるが、例えば、長さ寸法３００〜１２００ｍｍ、厚さ寸法１０〜３０ｍｍ、深さ寸法１００〜２５０ｍｍの大きさとすることができる。容器の内部には、内容物の倒れを防止するために適宜仕切を設けることが好ましい。前記凹所は、保持板を長方形状に形成し直線状の側端縁に設けてもよく、また、保持板を略扇形状に形成し湾曲した側端縁に設けてもよい。このように、凹所を形成する側端縁を直線状または湾曲面とした保持板とすることによって、これらを組み合わせて使用することにより、立体的で複雑な表現の飾り付けが可能となる。前記凹所は、嵌入した容器の開口部を３０度〜９０度の範囲で傾斜させることができるようにすることが好ましい。
【０００７】
【発明の実施の形態】
以下に、この発明を図示する実施形態に基づいて説明する。この発明に係るディスプレイ構築部材は、花を差して飾り付ける薄い横長のブックケース状容器１０と、前記容器１０を保持する保持板２０とからなる。前記容器１０を保持する保持板２０は、専用の架台または適宜の架台に載置して使用することができる。
【０００８】
前記容器１０は、図１に示すように、長尺の側板１１と、前記側板１１の両端を連結する連結板１２と、底板１３とからなり、上面が開口した薄い横長のブックケース状の水密性容器である。開口部には適宜の間隔でかつ底板１３に到達しない高さの切１４を設けてなる。仕切１４を設けることによって差し入れた花の倒れが防止される。前記容器１０を形成するには、プラスチック板、金属板、木質板、耐水性ダンボール板、ゴム状弾性体等を用いることができ、これらの１種または２種以上を組み合わせて形成することができる。
【０００９】
前記容器１０の開口部には、差し入れた花の倒れ防止のために仕切１４を設けたが、仕切１４に代えて開口部に格子状または櫛状枠体を設けてもよい。その他、開口部の花の倒れ防止のためには、公知の任意の構造とすることができる。容器の大きさは、材質や用途に応じて決定することができるが、長さ寸法（側板１１の長さ寸法）を３００〜１２００ｍｍ、厚さ寸法（連結板１２の幅寸法）を１０〜３０ｍｍ、深さ寸法（側板１１及び連結板１２の高さ寸法）を１００〜２５０ｍｍとすることができる。
【００１０】
次に、前記容器１０を保持する保持板２０について説明する。保持板２０は、図２に示すように、長方形状の板２１の一方の側端縁に沿って開口部が窄まった凹所２２を所定の間隔で複数連続して設けてなる。前記凹所２２は、側面２２ａと側面２２ｂとを湾曲した底面２２ｃで連続して形成されており、長方形板２１の端縁に対する前記側面の角度は、側面２２ａの方が側面２２ｂよりも大きく形成されている。例えば、長方形板２１の端縁に対する側面２２ａの角度αをほぼ直角に形成し、側面２２ｂの角度βを約３０度とすることができる。
【００１１】
このように、凹所２２の両側面の角度を変えることによって、前記容器１０を嵌入させたとき、その容器の開口部の向きを任意の方向に変更することができ、複雑なディスプレイを可能にする。実施形態に示すように、凹所２２の両側面の角度を変えた保持板２０を傾斜させて使用する場合には、角度の大きい方の側面が上方になるようにして使用するのが好ましい。
【００１２】
前記凹所２２の開口部の間隔は、容器１０を嵌入して前記側面２２ａと側面２２ｂに沿って傾斜させることができる大きさに形成されている。また、保持板２０は、後述するように、１つの容器に対して少なくとも２枚以上を平行に並べ、掛け渡した容器１０の底部を前記凹所２２に嵌入することによって使用される。
【００１３】
次に、保持板２０の他の実施形態について説明する。図３に示す第２実施形態の保持板２５は略扇形状に形成されており、湾曲した側端縁に凹所２６を形成してなる。前記凹所２６は端縁の接線に対して直角方向に形成されている。凹所２６は、凹所２２と同様に開口部が窄まっており、側面２６ａと側面２６ｂとを湾曲した底面２６ｃで連続して形成されている。
【００１４】
前記凹所２６を形成する側面２６ａと側面２６ｂの接線に対する角度は、ほぼ同じく形成することができ、例えば、角度γを７０〜８０度に形成することができる。なお、凹所２２と同様に、前記凹所２６の側面２６ａと側面２６ｂの角度を変更してもよい。
【００１５】
前記保持板２５は、１つの容器１０に対して少なくとも２枚以上を平行に並べ、掛け渡した容器１０の底部を前記凹所２６に嵌入することによって使用される。凹所２６は、湾曲した端縁に形成されているから、保持板２０のように、使用する際に傾斜させる必要はない。
【００１６】
次に、上記容器１０及び保持板２０の使用方法について説明する。図４は、保持板２０を架台に載置して使用する場合の説明用斜視図である。前記保持板２０には、その下端縁に１または２以上の切欠２７を設け、連結杆３０を取り付ける透孔２８、２８を設けてなる。前記切欠２７と透孔２８を設けた保持板２０を平行に並べて連結杆３０、３０によって連結すると共に、傾斜するように架台４０に載置して使用する。
【００１７】
前記連結杆３０は、一定長さの間隔保持部３１の両端に前記透孔２８に挿通するネジ部３２を一体に突設し、前記ネジ部３２にナット３３を螺合させてなる。連結杆３０によって保持板２０、２０を平行に連結するには、ネジ部３２を透孔２８に挿通して間隔保持部３１の両端を保持板２０、２０に突き当て、側面から突出したネジ部３２にナット３３を締め付けて一体にすればよい。
【００１８】
前記架台４０は、ベース４１の一端にストッパー４２を突設し、他端に回動自在に支持杆４３を軸支してなる。前記連結杆３０によって一体化された保持板２０、２０を架台４０に載置するには、切欠２７に支持杆４３の先端を係止させ、保持板２０の先端をストッパー４２に係止させればよい。支持杆４３の先端を適宜の位置の切欠２７に係止させることによって、保持板２０の傾斜角度を変更することができる。
【００１９】
保持板２０、２０は連結杆３０によって平行に固定されており、保持板２０、２０はそれぞれ架台４０に載置されているから倒れることはない。このようにして、所定の傾斜角度で載置された保持板２０，２０の凹所２２に、既に会場以外の作業場で花を差し入れてある容器１０の下端部を嵌入して、階段状に飾り付ければよい。容器１０を階段状に設けると共に、その開口部の向きを適宜変えることによって、変化に富みしかもボリューム感のある飾り付けをすることができる。
【００２０】
前記架台４０は、ベース４１に支持杆４３を回動自在に軸支することなく、ベース４１と支持杆４３とは固定し、支持杆４３を公知の方法により伸縮自在な構成としてもよい、この場合には、切欠２７は支持杆４３に対応する位置に設ければよく、支持杆４３を伸縮させることによって保持板２０、２０の傾斜角度を調節すればよい。
【００２１】
図５は、架台の他の実施形態を示し、架台４４は、載置板４５の下面に短い脚部４６と長い脚部４７を設け、短い脚部４６と長い脚部４７の長さの差によって載置板４５を傾斜させてなり、載置板４５の下端部にストッパー４８を設けてなる。なお、短い脚部４６と長い脚部４７のいずれか一方を伸縮自在として、載置板４５の傾斜角度を変更可能としてもよい。
【００２２】
前記構成の架台４４に保持板２０，２０を載置するには、上述のように、連結杆３０、３０によって平行に一体化してそのまま載置板４５に載置し、保持板２０の先端をストッパー４８に係止すればよい。保持板２０，２０は連結杆３０によって倒れることがないから、保持板２０，２０の凹所２２に、既に会場以外の作業場で花を差し入れてある容器１０の下端部を嵌入して飾り付ければよい。
【００２３】
図６は、図５の実施形態における載置板４５の上面に保持板２０を嵌入する溝５０を設けた架台４４ａを示す。溝５０は、連結杆３０の長さに相当する間隔で平行に設けられており、嵌入した保持板２０が倒れない深さに形成されている。前記架台４４ａを使用する場合には、保持板２０を嵌入するだけでよい。従って、保持枠２０は連結杆３０で連結する必要がないから、切欠２７はもちろん透孔２８も不要となる。
【００２４】
なお、上記実施形態では、保持板２０、２０を連結する場合には、連結杆３０を用いて組立自在な構成としたが、組立自在とすることなく他の連結材によって一体に連結する構成としてもよい。また、架台４０，４４及び４４ａは傾斜させることなく水平な構成としてもよいのはもちろん、傾斜した架台と水平な架台とを組み合わせて使用することができる。
【００２５】
また、湾曲させた側端縁に凹所を形成した略扇形状の保持板２５を使用する場合も、保持板２０と同様に、連結杆３０等によって一体に連結してもよいし、連結することなく溝５０に嵌入してもよい。保持板２０と保持板２５とを適宜使用することによって、複雑な表現の飾り付けが可能である。
【００２６】
上述のように、容器１０には予め花を作業場で差し入れた状態で会場に持ち込むことができるから、会場では架台に載置した保持板２０、２５の凹所に順次容器１０を嵌入するだけで飾り付けることができる。容器１０は、横長の薄いブックケース状に形成してなるから、水を入れたままでも容易に持ち運ぶことができ、従来のように水を入れたプランターを運搬する作業は不要となる。また、作業場で花を差し入れることができるから、会場で切り落とした茎、葉等のくずの処理をする必要がない。
【００２７】
以上、生花用ディスプレイ構築部材について説明したが、この発明に係るディスプレイ構築部材は、生花のみならず造花や細長い軸を有する物品を大量に展示することが可能である。
【００２８】
【発明の効果】
この発明に係るディスプレイ構築部材は、次のような効果を奏することができる。まず、収容物を固定するための資材が不要となるため、原材料費やその廃棄のためのコストが削減できる。また、予め容器に収容物を差し入れた状態で会場に持ち込むことができるから、会場での後処理作業が不要であり、作業能率が著しく向上する。また、会場では、容器を保持板の凹所に嵌入するだけで、能率良く飾り付けることができる。さらに、容器の傾斜角度を任意に変えることによって、広い空間に立体的に飾る付けたり、複雑な表現で飾り付けることができる。しかも、容器を予め決められた順番通りに保持板の凹所に嵌入するだけで飾り付けられるので、未経験者でも短時間に飾り付けることができる。また、容器及び保持板とも、軽量でコンパクトに形成することができるから、運搬、組み立て作業が容易であり、短時間で飾り付けることができ、輸送や保管に要する費用を削減できる。また、丈の短い収容物でも使用することが可能となり、収容物の選択度が拡がると共に、コストを削減することができる。
【図面の簡単な説明】
【図１】この発明に係る容器の一部を切り欠いた斜視図である。
【図２】この発明に係る保持板の正面図である。
【図３】保持板の他の実施形態を示す正面図である。
【図４】使用状態の一例を示す説明用斜視図である。
【図５】使用状態の他の例を示す説明用斜視図である。
【図６】さらに、使用状態の他の例を示す説明用要部斜視図である。
【符号の説明】
１０：薄い横長の容器
１１：側板
１２：連結板
１３：底板
１４：仕切板
２０：保持板
２１：長方形状板
２２：凹所
２２ａ：側面
２２ｂ：側面
２２ｃ：底面
２５：保持板
２６：凹所
２６ａ：側面
２６ｂ：側面
２６ｃ：底面
２７：切欠
２８：透孔
３０：連結杆
４０：架台
４１：ベース
４２：ストッパー
４３：支持杆
４４：架台
【図１】
2004105523.tif 000003
【図２】
2004105523.tif 000004
【図３】
2004105523.tif 000005
【図４】
2004105523.tif 000006
【図５】
2004105523.tif 000007
【図６】
2004105523.tif 000008